(57)【要約】      （修正有）【課題】比較的容易にフリーアクセスフロアが施工・レイアウトでき、同時に年間を通じて床冷暖房を行えるフリーアクセスフロアを構成できるフリーアクセスフロアパネルおよびそれを用いたフリーアクセスフロアを提供する。【解決手段】方形のパネルユニットを組み合わせて基礎床面上に敷設されるフリーアクセスフロアに用いられるフリーアクセスフロアパネル１であって、このパネルは、樹脂製の上部パネル１０と樹脂製の下部パネル２０とが接合されて構成され、前記上部パネルは、十字状の配線用の凹部１１が設けられた上面と側壁とを有し、前記下部パネルは、流体の通路となる中空部２１を有し、前記上部パネルと下部パネルとの間で、上部パネルの仮面と、配線用の凹部と、側壁１２と、下部パネルの上面２６とで区画された領域に、防音材または遮音材８が充填されている。【選択図】  図２
2004278138.tif 000002
【特許請求の範囲】
【請求項１】
方形のパネルユニットを組み合わせて基礎床面上に敷設されるフリーアクセスフロアに用いられるフリーアクセスフロアパネルであって、このパネルは、樹脂製の上部パネルと樹脂製の下部パネルとが接合されて構成され、
前記上部パネルは、十字状の配線用の凹部が設けられた上面と側壁とを有し、
前記下部パネルは、流体の通路となる中空部を有し、
前記上部パネルと下部パネルとの間で、上部パネルの下面と、配線用の凹部と、側壁と、下部パネルの上面とで区画された領域に、防音材または遮音材が充填されていることを特徴とするフリーアクセスフロアパネル。
【請求項２】
前記フリーアクセスフロアパネルのコーナー部に孔が設けられており、この孔に着脱可能な連結具を取り付け、その連結具によりパネル同士が連結されることを特徴とする請求項１に記載のフリーアクセスフロアパネル。
【請求項３】
請求項１または２に記載のフリーアクセスフロアパネルを複数連結して構成されるフリーアクセスフロアであって、フロアを構成するパネルの全部または一部の中空部が流体の流路となっていることを特徴とするフリーアクセスフロア。
【発明の詳細な説明】
【０００１】
【発明の属する技術分野】
本発明は、床冷暖房機能を備えた二段構造のフリーアクセスフロアパネルおよびそれを用いたフリーアクセスフロアに関する。
【０００２】
【従来の技術】
近年、家庭内においても、コンピュータや電話機などの電力用、通信用の伝送ケーブルなどの自在配線が要求されている。特に、居住性が良く、高付加価値の望まれる昨今の事情や、将来の２００Ｖの電化時代を考えると、床下内に伝送ケーブルを収納するフリーアクセスフロアは、一般家庭に普及する可能性が高い。
【０００３】
しかし、一般のビルやクリーンルームなどの工場施設で使用されるフリーアクセスフロアは、その大きさや重量などの問題から、一般家庭で使用するには問題がある。特に、既に完成している家やマンションなどに用いる場合は、施工やレイアウトが難しいという問題がある（例えば、特許文献１参照）。
【０００４】
一方、従来から、温水を利用した住居、施設用の床暖房が広く採用されている。従来の床暖房は、断熱材や木質ボードからなるパネルに所定の間隔を持って溝を形成し、溝を含むパネルの表面にアルミ箔等の均熱板を貼り付け、更に、溝内の均熱板の上に、樹脂製のチューブが埋め込まれている。このため、製造する場合に工程数が多くなり、生産性、経済性に問題がある。この問題を解決するために、熱可塑性樹脂をブロー成型して床暖房用パネルが製造されている（例えば、特許文献２参照）。
【０００５】
しかし、樹脂製の床暖房パネルであっても、床暖房は冬季にのみ行われるので、稼働率が悪いと言う問題がある。また、フリーアクセスパネルは、夏場に温度が上昇したときに熱膨張によって、パネルの競り上がりや、パネル同士のこすれ音が発生するという問題がある。
【０００６】
さらに、フリーアクセスフロアの一部を部分的かつ効率的に冷暖房をしたい場合がある。この問題を解決するために、フリーアクセスフロアにおいて、床暖房を望むパネルにヒータエレメントを装着している例が知られている（例えば、特許文献３）。しかし、この場合に、床暖房を望む場所を増設することや変更することが容易でないという問題がある。
【０００７】
【特許文献１】
特開平８−２３２４４８号公報（請求項１、図１）
【特許文献２】
特開２００１−３１７７５１号公報（請求項１、段落０００１〜段落０００６、図１）
【特許文献３】
特開平５−２３９９０４号公報（請求項１）
【０００８】
【発明が解決しようとする課題】
本発明は上記に鑑みなされたものであり、その目的は、比較的容易にフリーアクセスフロアが施工・レイアウトでき、同時に年間を通じて床冷暖房を行えるフリーアクセスフロアを構成できるフリーアクセスフロアパネルおよびそれを用いたフリーアクセスフロアを提供することにある。
【０００９】
【課題を解決するための手段】
上記の課題を解決する為に、本発明のフリーアクセスフロアパネルは、方形のパネルユニットを組み合わせて基礎床面上に敷設されるフリーアクセスフロアに用いられるフリーアクセスフロアパネルであって、このパネルは、樹脂製の上部パネルと樹脂製の下部パネルとが接合されて構成され、前記上部パネルは、十字状の配線用の凹部が設けられた上面と側壁とを有し、前記下部パネルは、流体の通路となる中空部を有し、前記上部パネルと下部パネルとの間で、上部パネルの仮面と、配線用の凹部と、側壁と、下部パネルの上面とで区画された領域に、防音材または遮音材が充填されていることを特徴とする。
【００１０】
この構成によると、本発明のフリーアクセスフロアパネルは、樹脂製である。この結果、重量が軽いので、一般家庭においても比較的容易にフリーアクセスフロアが施工・レイアウトできる。また、パネル間で、流体の通路となる中空部を連結するようにパネルを固定していけば、床冷暖房が容易に行える。さらに、上部パネルと下部パネルとの間に防音材または遮音材が充填されているので、歩行時などの音の発生を有効に防止できる。
【００１１】
また、夏場に温度が上昇しても、本発明のフリーアクセスフロアパネルを用いると、冷却機能を有するので、熱膨張によるパネルの競り上がりを有効に防止できる。
【００１２】
本発明のフリーアクセスフロアパネルは、パネルのコーナー部に孔が設けられており、この孔に着脱可能な連結具を取り付け、その連結具によりパネル同士が連結されることを特徴とする。
【００１３】
この構成によると、パネルの連結が容易となるので、自由に構成が変更できるフリーアクセスフロアが得られる。また、個々のパネルを連結してフリーアクセスフロアを構成するので、パネルのずれが発生せず、さらに配線変更を容易にすることができる。
【００１４】
このようなフリーアクセスフロアパネルを用いたフリーアクセスフロアは、このパネルの全部または一部の中空部が流体の流路となっていることを特徴とする。
【００１５】
この構成によれば、パネルを連結する際に中空部の連結の態様を変えることによりフリーアクセスフロア全体を冷暖房することも、局部的に冷暖房をすることもできる。
【００１６】
【発明の実施の形態】
以下、本発明につき図面を参照して更に詳しく説明する。図１は、本発明のフリーアクセスフロアパネルの一例を示す斜視図である。図２は、図１に示すフリーアクセスフロアパネルのＸ−Ｘ方向の断面図である。
【００１７】
上記フリーアクセスフロアパネル１は、方形の上部パネル１０と方形の下部パネル２０とを接合して形成される。上部パネル１０は、十字状の凹部１１が形成された上面と側壁１２とで、構成されている。この十字状の凹部１１に配線を収納する。またこの図の例では、上部パネル１０の上面の４隅に孔１３が設けられている。この孔１３に連結具を取り付けて、パネル１同士を連結する。
【００１８】
上部パネル１０は、樹脂を真空成形、射出成形などの公知の成形方法で、上面に十字状の凹部１１を設けた平面と、四方を下方に折り曲げた断面コ字状の箱型としたものである。折り曲げた側面を側壁１３とする。上面の４隅に低段部１４を設けて、この低段部１４に孔を開けて、パネルの連結に用いる。
【００１９】
下部パネル２０は、流体の通路となる中空部２１を有している。このような中空部２１は、パネルの内部にジグザグに連通して設けられている。この結果、ボックス内の温度の調整が効率的に行われる。
【００２０】
図３は、図１に示すパネルにおける下部パネルの流路の一態様を示す概念図である。図３（ａ）はその底面図、図３（ｂ）は、Ｙ方向の断面図である。この図の例では、隣接する流路２２の間に流路が設けられていない空隙部２２がある。この図の例の場合は、下部パネルは、荷重に対して強度が若干劣る。しかし、流路を流れる流体の流量が少ないため、床材の強度が弱い場合にも、使用できる。
【００２１】
図４は、図１に示すパネルにおける下部パネルにおける流路の別の態様を示す概念図である。図４（ａ）はその平面図、図４（ｂ）は、Ｙ方向の断面図である。この図の例では、隣接する流路２２は、リブ２４により仕切られている。この図の例の場合は、下部パネルは、二重壁の間に流路とリブとが設けられた構造になっているので、荷重に対する強度に優れる。しかし、パネル全体の重さが増すため、床材の強度が強い場合に、使用すると好ましい。
【００２２】
上記下部パネルは、例えばブロー成型することで製造される。ブロー成型を用いると、このように流路２４が形成された下部パネルが一体で製造できる。
【００２３】
上記上部パネルおよび下部パネルは、樹脂、好ましくはポリエチレン、ポリプロピレン、ポリスチレン、ＡＢＳ樹脂などの熱可塑性樹脂で形成されるとよい。樹脂で形成すると、パネルの重量を小さくすることができるので、取り扱いが容易になる。
【００２４】
リブの数はパネルの大きさによって適宜増減され、リブの形状やリブによって仕切られた中空部の大きさ及び中空部周りの肉厚は、流体温度、流速、流量、流体抵抗などにより適宜変更される。
【００２５】
本発明のフリーアクセスフロアパネル１は、上部パネル１０と下部パネル２０とを、上部パネル１０の上面に設けられた凹部１１の底面と側壁１２の底面と、下部パネル２０の上面とを接合して形成される。図２の例では、下部パネル２０の上面の外周に低段部２５を設け、上部パネル１０の側壁１２を嵌め込む形状にしている。このように接合すると、上部パネル１０と下部パネル２０とを強固に接合できる。上部パネルと下部パネルとの接合は、公知の接着剤、または熱融着により行う。
【００２６】
前記上部パネル１０と下部パネル２０との間で、上部パネルの下面１５、配線用の凹部１１と、側壁１２と、下部パネルの上面２６とで区画された領域には、防音材または遮音材８が充填されている。防音材または遮音材の充填は、上部パネルと下部パネルを接合する際に、防音材または遮音材を挟んだ状態で行う。防音材または遮音材としては、例えば、発泡ウレタン・グラスウールなどが使用される。
【００２７】
図５は、本発明のフリーアクセスフロアパネルを用いたフリーアクセスフロア３０が敷設された状態を示す平面図である。それぞれパネルの４隅に設けられた孔１３に係止連結具３１を用いて、４枚のパネルまたは２枚のパネルを連結固定する。配線用の凹部１１には、電線３２が配設されている。
【００２８】
本発明のフリーアクセスフロアパネルを用いると、上面に配線を収納する凹部が設けられている。このため、配線作業の際に、パネル部材を全く動かす必要がなくなり、配線作業が容易になる。これらの凹部の上は、図示しない配線蓋で、覆われる。配線取り出し孔を設けた配線蓋を用いることにより、所望の場所で、配線を取り出すことができる。配線蓋の形状は、十字状のものであっても、１枚のパネルを覆うものであっても、または複数枚のパネルを覆う方状のものであってもよい。この配線蓋は、カーペット等と一体型になっているものであってもよく、あるいは配線蓋の上にカーペット等を敷く構成としても良い。
【００２９】
また、凹部の周縁は、防音材・遮音材で取り囲まれた構造となっている。さらに、本発明のパネルは、その下側に冷暖房用の流体が存在している。このため、緩衝材などを用いない配線蓋を用いても、歩行時などの音の発生を有効に防止できる。
【００３０】
上記図３の態様によるパネルも、図４の態様によるパネルも、本発明のフリーアクセスフロアパネルの流路には隣接するパネル間で流体が流れるように、外部に通ずる流路孔２７、２８が開けられている。本発明のフリーアクセスフロアは、このようなパネルで、構成することにより得られる。具体的には、隣接するパネル間で、外部に通ずる孔同士が接するようにパネルを連結する。流路の接続は、ジョイントを挿入して行う。
【００３１】
上記フリーアクセスフロアの外部に設けられた温度調整機で、所望の温度に調整された流体は、循環装置により、１個のパネル内の流路の入り口２７に供給され、パネル内の流路２２を流通し、流路の出口２８から出て、隣接されたパネルの水路に供給される。この結果、フリーアクセスフロア上は所定の温度になる。使用できる流体は、特に制限されず、水、あるいは公知の冷媒、温媒が挙げられる。
【００３２】
本発明のフリーアクセスフロアは、床冷暖房に加え、夏季に電線が過熱した場合にも、冷却するので、安全である。さらに、夏季には、冷房用の流体が流れているので、パネル間に隙間を空けておかなくても、熱膨張によるパネルの競り上がりやパネル同士のこすれ音の発生を防止できる。
【００３３】
本発明のフリーアクセスフロアにおいては、パネル間を連結する流路は、外部に設けられた温度調整装置と循環装置との間で閉鎖回路を構成していることが必要である。これにより、所定の温度に調整された水がパネル内を循環するので、フロア上の温度を調整する。また、パネル間を連結する水路は、直列に連結してもよく、並列に連結してもよい。温度調整装置と循環装置とは、フロアの外側に設ければよい。
【００３４】
また、パネル間を連結する流路は、フロア全体を流体が流れる構成にしてもよく、フロアの一部を流体が流れる構成にしてもよい。このような構成にすることで、コストを下げることができる。また、部分的にかつ効率的に床冷暖房をすることが可能となる。具体的には、パネル間の接続の際に、孔が設けられている側面と、孔が設けられていない側面とを、連結することにより、部分的に流体の流れない部分を作ることができる。
【００３５】
【発明の効果】
以上で説明したように、本発明のフリーアクセスフロアパネルは、樹脂製で、一体成形された２枚のパネルを接合すればよいので、製造が容易である。また、樹脂製のフリーアクセスフロアパネルを連結具で連結してフリーアクセスフロアを構成するので、施工やレイアウトも容易にできる。また、冷暖房いずれにも利用できて、稼働率に優れる。夏季にパネルが熱膨張することを防止できる。さらに、流体の流路のレイアウトが容易なので、一部のみを冷暖房することもできる。
【図面の簡単な説明】
【図１】図１は、本発明のフリーアクセスフロアパネルの一例を示す斜視図である。
【図２】図２は、図１に示すフリーアクセスフロアパネルのＸ−Ｘ方向の断面図である。
【図３】図３は、図１に示すパネルにおける下部パネルの流路の一態様を示す概念図である。図３（ａ）はその底面図、図３（ｂ）は、Ｙ方向の断面図である。
【図４】図４は、図１に示すパネルにおける下部パネルにおける流路の別の態様を示す概念図である。図４（ａ）はその平面図、図４（ｂ）は、Ｙ方向の断面図である。
【図５】図５は、本発明のフリーアクセスフロアパネルを用いたフリーアクセスフロアが敷設された状態を示す平面図である。
【符号の説明】
１    フリーアクセスパネル
８    防音材または遮音材
１０    上部パネル
１１    凹部
１２    側壁
１３    孔
１４    上部パネルの低段部
１５    上部パネルの下面
２０    下部パネル
２１    中空部
２２    流路
２３    空隙部
２４    リブ
２５    下部パネルの低段部
２６    下部パネルの上面
２７、２８    流路孔
３１    係止連結具
３２    電線
【図１】
2004278138.tif 000003
【図２】
2004278138.tif 000004
【図３】
2004278138.tif 000005
【図４】
2004278138.tif 000006
【図５】
2004278138.tif 000007